(57)【要約】【課題】携帯端末において、アプリケーションの立ち上げに影響を与えることなく、また、アプリケーションの動作の影響を受けることなく同一の広告を継続して表示し、充分な広告効果を得るようにする。【解決手段】広告情報受信部１１１１が、広告取得タイミング設定部１１１０により設定されたタイミングで広告配信サーバ４から広告情報を取得し、広告保存部１１１２が、広告情報受信部１１１１で取得された広告情報を記憶部１２に保存する。広告背景設定部１１１３が、記憶部１２に保存された広告情報を読込んで表示部１０における表示画面の背景として設定し、この背景設定された広告情報を広告表示部１１１４が表示部１０に全画面表示する。広告情報の表示後、表示部１０における表示画面の切替えが行われたときに、表示切替部１１１５が、広告背景設定部１１１３による広告情報の背景設定を再度行わせる。【選択図】図２
2012137805.tif 000002
【特許請求の範囲】
【請求項１】
ネットワークに接続されたアプリケーションサーバからアプリケーションを取得して起動し、前記アプリケーションによって画面表示を行う際に、前記アプリケーションの表示操作の影響を受けることなく同一の広告情報を画面の背景に表示し続ける携帯端末であって、
所定のタイミングにて、前記ネットワークに接続された広告配信サーバから広告情報を取得する広告情報取得部と、
前記広告情報取得部により取得された広告情報を保存する広告保存部と、
前記広告保存部から広告情報を読込み、前記アプリケーションによって表示された画面の背景に前記広告情報を表示するための設定を行う広告背景設定部と、
前記画面の背景に前記広告情報を表示する広告表示部と、
表示された画面の切り替えを行う表示画面切り替え部と、を備え、
前記表示画面切り替え部は、画面の切り替えの後に、前記広告背景設定部及び前記広告表示部の処理を再度実行させる、ことを特徴とする携帯端末。
【請求項２】
請求項１に記載の携帯端末において、
前記所定のタイミングを、前記アプリケーションの起動時とする、ことを特徴とする携帯端末。
【請求項３】
請求項１に記載の携帯端末において、
前記所定のタイミングを、所定時間毎とする、ことを特徴とする携帯端末。
【請求項４】
ネットワークに接続されたアプリケーションサーバからアプリケーションを取得して起動し、前記アプリケーションによって画面表示を行う際に、前記アプリケーションの表示操作の影響を受けることなく同一の広告情報を画面の背景に表示し続ける携帯端末による広告表示方法であって、
所定のタイミングにて、前記ネットワークに接続された広告配信サーバから広告情報を取得する第１のステップと、
前記広告配信サーバから取得した前記広告情報を保存する第２のステップと、
前記広告情報を読込み、前記アプリケーションによって表示された画面の背景に前記広告情報を表示するための設定を行う第３のステップと、
前記画面の背景に前記広告情報を表示する第４のステップと、
表示した画面の切り替えを行う第５のステップと、を有し、
前記第５のステップにおける画面の切り替えの後に、前記第３のステップ及び第４のステップを再度実行させる、ことを特徴とする広告表示方法。
【請求項５】
コンピュータを、請求項１から３までのいずれか一項に記載の携帯端末として機能させるための広告表示プログラム。
【請求項６】
前記携帯端末により起動されるアプリケーションに組み込まれている、ことを特徴とする請求項５に記載の広告表示プログラム。
【発明の詳細な説明】
【技術分野】
【０００１】
本発明は、インターネットに接続して広告情報を受信し、画面表示する携帯端末、広告表示方法及び広告表示プログラムに関する。
【背景技術】
【０００２】
近年、携帯電話とＰＤＡ（Ｐｅｒｓｏｎａｌ  Ｄｉｇｉｔａｌ  Ａｓｓｉｓｔａｎｔ）を融合させた携帯端末が広く普及している。この携帯端末はスマートフォンと呼ばれ、通信機能の他にネットワーク機能、スケジュール機能、個人情報管理機能等の多種多様な機能を有している。この種の携帯端末の登場によってインターネット上で様々なサービスが提供されるようになってきている。提供されるサービスとしては、例えば、ショッピング、オークション、旅行・出張、ニュース、天気、スポーツ、地図、路線等がある。これらのサービスを提供するための専用のサーバがインターネット上に設けられている。
【０００３】
ところで、サービスを提供する側は、ユーザからのサービス要求に際し、サービスに対応するアプリケーション（プログラム）と共に広告情報を送信する場合もある。例えば、ユーザの携帯端末は、アプリケーションの受信と共に広告情報を受信すると、アプリケーションの立ち上げに際し、それに先行して数秒間広告を表示する。つまり、ユーザは、アプリケーションを指定してサービスを要求すると、最初に広告が表示され、その後にアプリケーションによるサービスの提供を受けることができる。
【０００４】
ユーザに広告を提供する技術として、例えば特許文献１及び特許文献２に記載されたものが知られている。特許文献１に記載された「広告自動組込システム」は、ユーザのプロフィールに合わせた広告をコンテンツに組み込み、ユーザに提供するものである。特許文献２に記載された「広告システム」は、広告を含むゲームソフトをユーザに提供し、ユーザがゲームを実行しているときに広告を表示するものである。
【先行技術文献】
【特許文献】
【０００５】
【特許文献１】特開２００２−２３０３９２号公報
【特許文献２】特開２００７−０３３５８６号公報
【発明の概要】
【発明が解決しようとする課題】
【０００６】
しかしながら、従来の携帯端末における広告表示方法は、前述のとおり、アプリケーションの立ち上げに際し、数秒間広告を表示するので、ユーザが操作をしてからアプリケーションを立ち上げるまでに時間がかかってしまう。つまり、ユーザが所望するサービスを受けるまで、時間がかかってしまうという問題があった。また、ユーザは、その広告をアプリケーションの立ち上げ時にのみ視聴することになるので、充分な広告効果が得られないという問題もあった。
【０００７】
また、前述した特許文献１に記載された「広告自動組込システム」は、広告のコンテンツへの組み込みの仕方を提案しており、広告はそれのみ再生されるものであって、一度再生が行われると、次の再生時まで表示されない。すなわち、広告は継続して表示されることがない。特許文献２に記載された「広告システム」においても同様に、表示タイミングで表示され、そのタイミングを過ぎると、次の表示タイミングまでは表示されることがない。したがって、特許文献１，２に記載された広告表示方法においても、充分な広告効果が得られないという問題があった。
【０００８】
そこで、本発明はかかる課題を解決するためになされたものであり、その目的は、アプリケーションの立ち上げに影響を与えることなく、また、アプリケーションの動作の影響を受けることなく、同一の広告を継続して表示可能な携帯端末、広告表示方法及び広告表示プログラムを提供することにある。
【課題を解決するための手段】
【０００９】
上記目的を達成するために、請求項１の携帯端末の発明は、ネットワークに接続されたアプリケーションサーバからアプリケーションを取得して起動し、前記アプリケーションによって画面表示を行う際に、前記アプリケーションの表示操作の影響を受けることなく同一の広告情報を画面の背景に表示し続ける携帯端末であって、所定のタイミングにて、前記ネットワークに接続された広告配信サーバから広告情報を取得する広告情報取得部と、前記広告情報取得部により取得された広告情報を保存する広告保存部と、前記広告保存部から広告情報を読込み、前記アプリケーションによって表示された画面の背景に前記広告情報を表示するための設定を行う広告背景設定部と、前記画面の背景に前記広告情報を表示する広告表示部と、表示された画面の切り替えを行う表示画面切り替え部と、を備え、前記表示画面切り替え部が、画面の切り替えの後に、前記広告背景設定部及び前記広告表示部の処理を再度実行させる、ことを特徴とする。
【００１０】
また、請求項２の携帯端末の発明は、請求項１に記載の携帯端末において、前記所定のタイミングを、前記アプリケーションの起動時とする、ことを特徴とする。
【００１１】
また、請求項３の携帯端末の発明は、請求項１に記載の携帯端末において、前記所定のタイミングを、所定時間毎とする、ことを特徴とする。
【００１２】
さらに、請求項４の広告表示方法の発明は、ネットワークに接続されたアプリケーションサーバからアプリケーションを取得して起動し、前記アプリケーションによって画面表示を行う際に、前記アプリケーションの表示操作の影響を受けることなく同一の広告情報を画面の背景に表示し続ける携帯端末による広告表示方法であって、所定のタイミングにて、前記ネットワークに接続された広告配信サーバから広告情報を取得する第１のステップと、前記広告配信サーバから取得した前記広告情報を保存する第２のステップと、前記広告情報を読込み、前記アプリケーションによって表示された画面の背景に前記広告情報を表示するための設定を行う第３のステップと、前記画面の背景に前記広告情報を表示する第４のステップと、表示した画面の切り替えを行う第５のステップと、を有し、前記第５のステップにおける画面の切り替えの後に、前記第３のステップ及び第４のステップを再度実行させる、ことを特徴とする。
【００１３】
さらに、請求項５の広告表示プログラムの発明は、コンピュータを、請求項１から３までのいずれか一項に記載の携帯端末として機能させることを特徴とする。
【００１４】
また、請求項６の広告表示プログラムの発明は、前記携帯端末により起動されるアプリケーションに組み込まれている、ことを特徴とする。
【発明の効果】
【００１５】
本発明によれば、携帯端末の表示部における表示画面の切替えが行われたときに、広告情報の背景設定及び表示を再度行うようにしたので、アプリケーションの立ち上げに影響を与えることなく、また、アプリケーションの動作の影響を受けることなく、同一の広告を継続して表示することができ、充分な広告効果を得ることができる。
【図面の簡単な説明】
【００１６】
【図１】本発明の実施例による携帯端末を含むネットワークシステムの概略構成を示すブロック図である。
【図２】携帯端末における広告情報処理部の概略構成を示すブロック図である。
【図３】携帯端末における広告情報の背景埋込み表示例（表示画面切替え前及び切替え後）を示す図である。
【図４】アプリケーション取得時の処理の流れを示すシーケンス図である。
【図５】広告情報取得時の処理の流れを示すシーケンス図である。
【図６】携帯端末における広告情報表示処理を説明するためのフローチャートである。
【発明を実施するための形態】
【００１７】
以下、本発明を実施するための最良の形態について、図面を参照して説明する。本発明の実施例は、ネットワークに接続されたアプリケーションサーバからアプリケーションを取得して実行すると共に、表示部にはアプリケーションの実行に伴う表示を行う携帯端末を想定しており、携帯端末の表示部における表示画面の切替えが行われたときに広告情報の背景設定及び表示を再度行い、アプリケーションの表示操作の影響を受けることなく同一の広告情報を画面の背景に表示し続ける例である。
【００１８】
図１は、本発明の実施例による携帯端末を含むネットワークシステムの概略構成を示すブロック図である。同図において、携帯端末１は、スマートフォンと呼ばれ、通常の音声通話の通信機能の他にネットワーク機能、スケジュール機能、個人情報管理機能等の多種多様な機能を備えている。携帯端末１は、さらに、表示部１０と、アプリケーション（プログラム）を実行するアプリケーション実行部１１と、広告情報等を記憶するハードディスク等の記憶部１２を備えている。
【００１９】
表示部１０は、液晶ディスプレイまたは有機ＥＬ（Ｅｌｅｃｔｒｏ  Ｌｕｍｉｎｅｓｃｅｎｃｅ）ディスプレイ等の表示器を有し、ユーザによる携帯端末１の使用に際し各種表示を行う。アプリケーション実行部１１は、アプリケーションを実行するアプリケーション処理部１１０と、アプリケーション起動後に展開し、アプリケーションに組み込まれた背景表示プログラムを抽出して実行する広告情報処理部１１１とから構成される。背景表示プログラムは、広告情報を取得するためのプログラム（以下、”広告情報取得プログラム”という。）と、取得した広告情報を背景表示するためのプログラム（以下、”広告情報表示プログラム”という。）とから構成される。
【００２０】
インターネット４００には、アプリケーションを蓄積したアプリケーションサーバ３と、広告情報を蓄積した広告配信サーバ４とが接続されており、携帯端末１に対し、アプリケーションの配信と広告情報の配信が可能となっている。携帯端末１は、移動体通信網４１０とインターネット４００を介してアプリケーションサーバ３及び広告配信サーバ４のそれぞれと双方向通信を行い、アプリケーションの取得と広告情報の取得を行う。携帯端末１は、インターネット４００におけるデータの送受信に必要なプロトコルとして、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）及びＨＴＴＰ（Ｈｙｐｅｒ  Ｔｅｘｔ  Ｔｒａｎｓｆｅｒ  Ｐｒｏｔｏｃｏｌ）を用いており、ＴＣＰ／ＩＰを使用してアプリケーションサーバ３及び広告配信サーバ４それぞれとの間の通信路を開設し、ＨＴＴＰを使用してデータの送受信を行う。
【００２１】
アプリケーションサーバ３は、アプリケーションを蓄積したアプリケーションデータベース３１を備えている。広告配信サーバ４は、広告情報を蓄積した広告情報データベース４１を備えている。
【００２２】
次に、図１に示した携帯端末１の広告情報処理部１１１について詳細に説明する。図２は、広告情報処理部１１１の概略構成を示すブロック図である。広告情報処理部１１１は、広告取得タイミング設定部１１１０、広告情報受信部１１１１、広告保存部１１１２、広告背景設定部１１１３、広告表示部１１１４及び表示切替部１１１５を備えている。
【００２３】
広告情報処理部１１１は、携帯端末１がアプリケーションサーバ３からダウンロードしたアプリケーションに含まれる背景表示プログラムに従って動作する。特に、広告取得タイミング設定部１１１０、広告情報受信部１１１１及び広告保存部１１１２が、背景表示プログラムを構成する広告情報取得プログラムで動作し、広告背景設定部１１１３、広告表示部１１１４及び表示切替部１１１５が、背景表示プログラムを構成する広告情報表示プログラムで動作する。
【００２４】
広告取得タイミング設定部１１１０は、広告情報受信部１１１１に対し、広告情報を取得するタイミングを設定する。例えば、アプリケーションの起動時及び所定時間毎のタイミングを設定する。本実施例では、広告取得タイミング設定部１１１０は、広告情報受信部１１１１に対し、広告情報を取得するタイミングとして、アプリケーションの起動時のタイミングを設定するものとする。この場合、広告情報を取得するタイミングを所定時間毎に設定することにより、時間に応じて広告情報の内容を変更することができ、ユーザに対し、様々な広告を有効に提示することができる。
【００２５】
広告情報受信部１１１１は、広告取得タイミング設定部１１１０による設定に従い、ＨＴＴＰを利用して広告配信サーバ４から広告情報を取得する。広告保存部１１１２は、広告情報受信部１１１１で取得された広告情報をハードディスク等の記憶部１２に保存する。広告情報とは、例えば”広告画像”をいう。
【００２６】
広告背景設定部１１１３は、記憶部１２に保存されている広告情報を読込み、広告情報を背景に表示するための設定を行う。具体的には、広告情報が、表示部１０の全画面において背景表示されるように、すなわち、アプリケーションにより表示された背景画像に埋め込まれて表示されるように設定する。広告表示部１１１４は、アプリケーションが実行されて表示部１０に表示された背景画像に、広告情報を埋込み表示する。これにより、広告情報は、背景画像の一部として表示される。
【００２７】
表示切替部１１１５は、携帯端末１の表示切替ボタン１３（後述する図３を参照）の押下操作の検出を行い、表示画面の切り替えを行うと共に、表示切替ボタン１３の押下操作を検出したときに、表示切替ボタン１３が押下されたことを広告背景設定部１１１３に通知する。すなわち、表示切替部１１１５は、表示画面の切り替えの後に、広告背景設定部１１１３の処理及び広告表示部１１１４の処理を再度実行させる。
【００２８】
広告背景設定部１１１３は、表示切替部１１１５から表示切替ボタン１３が押下された通知を受けることで、記憶部１２に保存されている広告画像を読込み、広告情報を背景に表示するための設定を再度行う。ここで、表示画面の切替えが行われると、表示部１０に表示される画面が変わるから、画面表示された新たな背景画像には広告情報が埋め込まれていない。このため、広告情報は画面に表示されなくなる。これを防止するために、表示画面が切替わった場合に、記憶部１２に保存されている広告画像を読込み、背景として再設定する。このように、表示画面の切替えが行われても、同一の広告情報を継続して表示することができる。
【００２９】
図３は、広告情報の背景埋込み表示例（表示画面切替え前及び切替え後）を示す図である。図３（ａ）に示すように、表示画面切替え前は、メニュー３０Ａが表示されており、その背景には”Ｓｏｃｃｅｒ！”と書かれた人物を含む広告画像２０が画面１０１の全体に亘って表示されている。表示画面切替え操作が行われると、図３（ｂ）に示すように、新たなメニュー３０Ｂが表示されるが、その背景には表示画面切替え前と同様に、”Ｓｏｃｃｅｒ！”と書かれた人物を含む広告画像２０が画面１０１の全体に亘って表示される。
【００３０】
次に、図１に示した携帯端末１を含むネットワークシステム２の動作を説明する。図４は、アプリケーション取得時における、携帯端末１とアプリケーションサーバ３との間の処理の流れを示すシーケンス図である。同図において、ユーザは、携帯端末１を使用してアプリケーションサーバ３にアクセスし、双方向通信が確立した後、所望のアプリケーションを要求する操作を行う。そうすると、携帯端末１は、アプリケーションサーバ３へ向けてアプリケーション要求を送信する。アプリケーションサーバ３は、携帯端末１から送信されてきたアプリケーション要求を受信すると、該当するアプリケーションを検索し、得られたアプリケーションを携帯端末１へ向けて送信する。携帯端末１は、アプリケーションサーバ３から送信されてきたアプリケーションを受信すると、該当するアプリケーションを実行する。
【００３１】
図５は、広告情報取得時における、携帯端末１と広告配信サーバ４との間の処理の流れを示すシーケンス図である。同図において、携帯端末１は、アプリケーションサーバ３より得られたアプリケーションの起動時に、該アプリケーションより抽出した背景表示プログラムを構成する広告情報取得プログラムに従って広告配信サーバ４にアクセスし、双方向通信が確立した後、広告配信サーバ４へ向けて広告情報要求を送信する。広告配信サーバ４は、携帯端末１から送信されてきた広告情報要求を受信すると、該当する広告情報を検索し、得られた広告情報を携帯端末１へ向けて送信する。携帯端末１は、広告配信サーバ４から送信されてきた広告情報を受信すると、受信した広告情報即ち広告画像をアプリケーションによる表示画像の背景に組み込んで表示する。このとき、携帯端末１は、背景表示プログラムを構成する広告情報表示プログラムに従って広告画像の表示を行う。
【００３２】
図６は、図１及び図２に示した携帯端末１における広告情報表示処理を示すフローチャートである。まず、広告取得タイミング設定部１１１０は、広告情報取得タイミングか否かを判定する（ステップＳ１）。本実施例では、アプリケーションを起動したときを広告情報取得タイミングとしているので、広告取得タイミング設定部１１１０は、アプリケーションが起動されたか否かを判定することになる。
【００３３】
広告取得タイミング設定部１１１０は、ステップＳ１において、広告情報取得タイミングであると判定すると（ステップＳ１：ＹＥＳ）、広告情報受信部１１１１に対し、広告情報取得タイミングであることを設定する。広告情報受信部１１１１は、広告取得タイミング設定部１１１０からの設定を受けると、広告配信サーバ４にアクセスして広告情報を取得する（ステップＳ２）。そして、取得した広告情報を広告保存部１１１２に出力する。広告保存部１１１２は、広告情報受信部１１１１から出力された広告情報を記憶部１２に保存する（ステップＳ３）。
【００３４】
次に、広告背景設定部１１１３は、記憶部１２に保存されている広告情報即ち広告画像を読込み、背景として設定する（ステップＳ４）。広告表示部１１１４は、広告背景設定部１１１３によって背景として設定された広告情報を、現在実行中のアプリケーションによる表示画面の背景に埋込み、画面全体に亘って表示する（ステップＳ５）。
【００３５】
一方、広告取得タイミング設定部１１１０は、ステップＳ１において、広告情報取得タイミングでないと判定すると（ステップＳ１：ＮＯ）、表示切替部１１１５は、表示の切替え操作があったか否かを判定する（ステップＳ６）。このとき、携帯端末１のユーザが、表示切替ボタン１３（図３参照）を押下した場合、表示切替部１１１５は、表示の切替え操作があったと判定し（ステップＳ６：ＹＥＳ）、広告情報が背景として表示されているか否かを判定する（ステップＳ７）。つまり、表示切替え操作があっても、切り替え前のメニュー背景に広告情報が背景として表示されていなければ、広告情報を再表示する必要がないので、広告情報が背景として表示されているか否かを判定する。一方、表示切替部１１１５は、表示の切り替え操作がないと判定した場合（ステップＳ６：ＮＯ）、ステップＳ１へ戻る。
【００３６】
表示切替部１１１５は、ステップＳ７において、広告情報が背景として表示されていないと判定した場合（ステップＳ７：ＮＯ）、広告情報を再表示させるための処理を行わず、ステップＳ１へ戻る。一方、表示切替部１１１５は、ステップＳ７において、広告情報が背景として表示されていると判定した場合（ステップＳ７：ＹＥＳ）、ステップＳ４へ移行し、広告背景設定部１１１３に広告情報の再表示を指示する。広告背景設定部１１１３は、表示切替部１１１５から再表示の指示を受けることで、記憶部１２に保存されている広告情報即ち広告画像を読込み、背景として設定する（ステップＳ４）。そして、広告表示部１１１４は、広告背景設定部１１１３によって背景として設定された広告情報を現在実行中のアプリケーションによる新たな表示画面の背景に埋込む（ステップＳ５）。
【００３７】
以上のように、本発明の実施例による携帯端末１によれば、広告情報受信部１１１１が、広告取得タイミング設定部１１１０で設定されたタイミングで広告配信サーバ４から広告情報を取得し、広告保存部１１１２が、広告情報受信部１１１１で取得された広告情報を記憶部１２に保存するようにした。そして、広告背景設定部１１１３が、記憶部１２に保存された広告情報を読込んで表示部１０における表示画面の背景として設定し、広告表示部１１１４が、この背景設定された広告情報を表示部１０に全画面表示するようにした。そして、ユーザによって表示部１０における表示画面の切替えが行われたときに、表示切替部１１１５が、広告背景設定部１１１３による広告情報の背景設定を再度行わせ、広告表示部１１１４による広告情報の全画面表示を再度行わせる。これにより、アプリケーションの立ち上げに影響を与えることなく、また、アプリケーションの動作の影響を受けることなく同一の広告を継続して表示することができ、充分な広告効果を得ることができる。
【００３８】
尚、前記実施例において、広告背景設定部１１１３は、記憶部１２に保存されている広告情報を読込み、広告情報を背景画像に表示するための設定を行い、広告表示部１１１４は、背景画像に広告情報を埋込み表示するようにしたが、予め設定された広告掲載期間が経過した場合には、広告情報の表示は行われない。すなわち、広告背景設定部１１１３及び広告表示部１１１４は、広告掲載期間が経過していないときは、前述の処理を行い、経過した後は、前述の処理を行わない。この場合、ユーザによりアプリケーションの立ち上げ操作が再度行われたときに、携帯端末１は、図６に示した処理により、新たな広告情報を取得し画面表示する。
【００３９】
また、前記実施例において、広告取得タイミング設定部１１１０は、広告情報を取得するタイミングとして、アプリケーションの起動時のタイミングを設定するようにした。これに対し、広告取得タイミング設定部１１１０は、さらに、広告情報を取得するタイミングを所定時間毎（時刻であっても期間であってもよい。）に設定するようにしてもよい。これにより、時刻または期間に応じて広告情報の内容を変更することができ、ユーザに対し、様々な広告を有効に提示することができる。
【００４０】
本発明の実施例による携帯端末１のハードウェア構成としては、通常のコンピュータを使用することができる。携帯端末１は、ＣＰＵ、ＲＡＭ等の揮発性の記憶媒体、ＲＯＭ等の不揮発性の記憶媒体、及びインターフェース等を備えたコンピュータによって構成される。携帯端末１に備えた表示部１０、アプリケーション実行部１１及び記憶部１２の各機能は、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００４１】
また、前述のとおり、本発明の実施例による携帯端末１の広告情報表示処理を記述した背景表示プログラムは、アプリケーションに組み込まれて動作する。この背景表示プログラムを、磁気ディスク（フロッピー（登録商標）ディスク、ハードディスク等）、光ディスク（ＣＤ−ＲＯＭ、ＤＶＤ等）、光磁気ディスク、半導体メモリ等の記憶媒体に格納してアプリケーション作成者へ提供することにより、アプリケーション作成者は、自らが作成するアプリケーションにその背景表示プログラムを組み込むことができる。これにより、アプリケーションの画面表示において広告の背景表示が可能となる。
【符号の説明】
【００４２】
１  携帯端末
２  ネットワークシステム
３  アプリケーションサーバ
４  広告配信サーバ
１０  表示部
１１  アプリケーション実行部
１２  記憶部
１３  表示切替ボタン
２０  広告画像
３０Ａ，３０Ｂ  メニュー
３１  アプリケーションデータベース
４１  広告情報データベース
１０１  画面
１１０  アプリケーション処理部
１１１  広告情報処理部
４００  インターネット
４１０  移動体通信網
１１１０  広告取得タイミング設定部
１１１１  広告情報受信部
１１１２  広告保存部
１１１３  広告背景設定部
１１１４  広告表示部
１１１５  表示切替部
【図１】
2012137805.tif 000003
【図２】
2012137805.tif 000004
【図３】
2012137805.tif 000005
【図４】
2012137805.tif 000006
【図５】
2012137805.tif 000007
【図６】
2012137805.tif 000008